(57)【要約】【課題】  複数の放送チャンネルを送信可能な周波数帯域が複数があったとしても、出来る限り自動選局動作に必要な時間を短縮し、ユーザーにとって使い勝手の良い放送受信装置を提供することを主たる目的とする。【解決手段】  受信可能な周波数帯域に対して第１の自動選局動作を行う（ステップＳ４０１）。その周波数帯域の全放送チャンネルの選局が終了した後、制御部２６１は、信号レベル検出回路３０５から出力されたＡＧＣ信号の出力レベルやＰＳＩ／ＳＩに基づいて、他の周波数帯域の放送チャンネルが受信可能か否かを探索する（ステップＳ４０２）。そして、他の周波数帯域の放送チャンネルが選局可能であると検出された場合、当該周波数帯域を自動選局（第２の自動選局）するか否かを、映像表示器１１４に表示する（ステップＳ４０３）。これに対してユーザーはいずれかの動作を選択することができる。【選択図】      図４
2009130600.tif 000002
【特許請求の範囲】
【請求項１】
複数の放送チャンネルを送信可能な周波数帯域が複数含まれている放送信号を受信する受信手段と、
前記放送信号に、受信可能な周波数帯域の放送チャンネルが含まれるか否かを探索する探索手段と、
前記受信可能な周波数帯域の放送チャンネルを選局する選局手段と、
前記選局手段によって選局された放送チャンネルを選局するための情報を記憶する記憶手段と、
前記選局手段で選局の対象とする周波数帯域を任意に選択する選択手段とを備えることを特徴とする放送受信装置。
【請求項２】
前記放送信号に含まれる複数の周波数帯域の少なくともいずれか一つの周波数帯域を選局するか否かを表示する表示手段を備えることを特徴とする請求項１に記載の放送受信装置。
【請求項３】
前記選局手段は、前記受信手段で受信した放送信号を増幅する増幅回路と、
前記増幅回路から出力された信号を中間周波数信号に周波数変換する混合回路と、
前記混合回路から出力された中間周波数信号のレベルを検出する信号レベル検出回路とを含み、
前記探索手段は、前記信号レベル検出回路から出力されるＡＧＣ信号のレベルに基づいて、受信可能な周波数帯域の放送チャンネルが前記放送信号に含まれるか否かを探索することを特徴とする請求項１に記載の放送受信装置。
【請求項４】
前記受信手段で受信した放送信号からＮＩＴを得るチャンネル情報検出部を更に備え、
前記探索手段は、前記ＮＩＴに放送情報が含まれているか否かに基づいて受信可能な周波数帯域の放送チャンネルが前記放送信号に含まれるか否かを探索することを特徴とする請求項１乃至請求項３のいずれか１項に記載の放送受信装置。
【請求項５】
複数の放送チャンネルを送信可能な周波数帯域が複数含まれている放送信号を受信手段で受信するステップと、
前記受信手段で受信した放送信号から第１の周波数帯域に含まれる放送チャンネルを選局する第１の選局ステップと、
前記放送信号に、前記第１の周波数帯域とは異なる第２の周波数帯域の放送チャンネルが含まれるか否かを探索するステップと、
前記第２の周波数帯域の放送チャンネルが前記放送信号に含まれると探索された場合に、前記第２の周波数帯域内に含まれる放送チャンネルを選局するか否かを選択するステップと、
前記第２の周波数帯域の放送チャンネルを選局することをユーザーが選択した場合に、前記第２の周波数帯域内に含まれる放送チャンネルを選局する第２の選局ステップと、
前記第１の選局ステップと前記第２の選局ステップの少なくとも一方によって選局された放送チャンネルを選局するための情報を記憶するステップとを有することを特徴とする放送受信方法。
【請求項６】
前記受信手段で受信した放送信号からＮＩＴを得るステップとを備え、
前記第２の周波数帯域に含まれる放送チャンネルを選局するか否かを選択するステップは、前記ＮＩＴに放送情報が含まれている場合にのみ実行されることを特徴とする請求項５に記載の放送受信方法。
【発明の詳細な説明】
【技術分野】
【０００１】
この発明は、テレビジョン放送等の受信装置に関するものであり、特に放送チャンネルの選局を自動的に行う機能（いわゆる自動選局機能）を有する受信装置に関する。
【背景技術】
【０００２】
従来より、テレビジョン放送等の受信装置では、多数の放送チャンネルに対する選局操作を容易にするため、自動選局機能を備えた受信装置が広く知られている。つまり、テレビジョン放送等の受信装置においては、購入してから最初に受信装置を使用する際に、その受信装置が置かれた地域で受信可能な放送チャンネルを探索し、この探索結果を初期設定として受信装置内部に記憶しておき、以後はこの記憶情報に基づいて選局を行うこととなる。なお、この初期設定は、受信地域を変えることによって受信可能な放送チャンネルが変わった場合に、上記記憶情報を更新させるために再び行うこともある。
【０００３】
例えば、以下の特許文献１では、選局対象の放送チャンネルをＶＨＦ−Ｌ，ＶＨＦ−Ｈ及びＵＨＦの３種の周波数帯域に分類し、各分類の放送チャンネルを選局することが開示されている。
【０００４】
ところで、放送チャンネルとして用いられる周波数帯域の分類としては、上述したＶＨＦやＵＨＦに加えてＢＳやＣＳ等が従来からあるが、これらと異なる周波数帯域を放送チャンネルに用いる試みが近年行われており、今後はこれまで用いられていなかった新たな周波数帯域を用いた放送チャンネルが多数生まれることが予想される。
【０００５】
例えば、現在の欧州のデジタル放送では、周波数帯域がＶＨＦ３（１７４〜２３０ＭＨｚ）、ＵＨＦ４（４７０〜６０６ＭＨｚ）、ＵＨＦ５（６０６〜８６２ＭＨｚ）の放送チャンネル（全５７の放送チャンネル）の他に、周波数帯域がＳバンド（Ｓ１：１０４〜１７４ＭＨｚ，Ｓ２：２３０〜３００ＭＨｚ，Ｓ３：３００〜４７０ＭＨｚ）と呼ばれる放送チャンネル（全４１の放送チャンネル）がある。このような複数の放送チャンネルを送信可能とする周波数帯域が複数あった場合、従来の受信装置では、これら全ての放送チャンネルの自動選局が行われていた。
【特許文献１】実開平７−２５６６２号公報
【発明の開示】
【発明が解決しようとする課題】
【０００６】
上記のように、今後新たな周波数帯域を用いた放送チャンネルが生まれることが予想されるので、放送チャンネルの自動選局について新たな問題が生じると考えられる。つまり、上記欧州の例を用いれば、ＶＨＦ，ＵＨＦの両者を合わせた放送チャンネル（全５７チャンネル）と、Ｓバンドの放送チャンネル（全４１チャンネル）の全てを自動選局する場合には、自動選局開始から完了までに長時間を要するのであり、このことはユーザーにとって好ましくないという問題である。
【０００７】
そこで本発明は、複数の放送チャンネルを送信可能な周波数帯域が複数があったとしても、出来る限り自動選局動作に必要な時間を短縮し、ユーザーにとって使い勝手の良い放送受信装置を提供することを主たる目的とする。
【課題を解決するための手段】
【０００８】
本発明は上記課題に鑑みてなされたものであり、その主な特徴は以下のとおりでる。すなわち、本発明の放送受信装置は、複数の放送チャンネルを送信可能な周波数帯域が複数含まれている放送信号を受信する受信手段と、前記放送信号に、受信可能な周波数帯域の放送チャンネルが含まれるか否かを探索する探索手段と、前記受信可能な周波数帯域の放送チャンネルを選局する選局手段と、前記選局手段によって選局された放送チャンネルを選局するための情報を記憶する記憶手段と、前記選局手段で選局の対象とする周波数帯域を任意に選択する選択手段とを備えることを特徴とする。
【０００９】
また、本発明の放送受信方法は、複数の放送チャンネルを送信可能な周波数帯域が複数含まれている放送信号を受信手段で受信するステップと、前記受信手段で受信した放送信号から第１の周波数帯域に含まれる放送チャンネルを選局する第１の選局ステップと、前記放送信号に、前記第１の周波数帯域とは異なる第２の周波数帯域の放送チャンネルが含まれるか否かを探索するステップと、前記第２の周波数帯域の放送チャンネルが前記放送信号に含まれると探索された場合に、前記第２の周波数帯域内に含まれる放送チャンネルを選局するか否かを選択するステップと、前記第２の周波数帯域の放送チャンネルを選局することをユーザーが選択した場合に、前記第２の周波数帯域内に含まれる放送チャンネルを選局する第２の選局ステップと、前記第１の選局ステップと前記第２の選局ステップの少なくとも一方によって選局された放送チャンネルを選局するための情報を記憶するステップとを有することを特徴とする。
【発明の効果】
【００１０】
この発明によれば、放送信号に複数の放送チャンネルを送信可能とする周波数帯域が複数含まれている場合に、選局する周波数帯域の放送チャンネルと、選局しない周波数帯域の放送チャンネルをユーザー自身の判断で選択することが可能となる。
【発明を実施するための最良の形態】
【００１１】
以下、この発明の最良の実施形態について、図面を参照しながら説明する。図１は、本実施形態で説明するデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等を備えた平面パネル型ディスプレイである映像表示器１１４、１対のスピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード［ＩＣ(integrated circuit)カード］１２０が着脱可能となっている。そして、この第２のメモリカード１２０に対して契約情報の再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びＩＥＥＥ(institute of electrical and electronics engineers)１３９４端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ(Personal Computer)１２８、デジタル放送受信機脳を有するＨＤＤ内蔵のＤＶＤ（Digital Versatile Disk）レコーダ１２９等の機器を接続し、これらの機器と情報伝送を行なうために使用される。
【００１９】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２０】
さらに、この第２のＬＡＮ端子１２２は、ハブ１２６に接続されたブロードバンドルータ１３１を介して、例えばインターネット等のネットワーク１３２に接続可能であり、このネットワーク１３２を介してＰＣ１３３や携帯電話１３４等の各種情報端末と情報伝送を行なうために使用される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ＩＥＥＥ１３９４端子１２４は、例えば、それぞれがデジタル放送受信機能を有するＡＶ(audio video)−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系の一例を示している。すなわち、ＢＳ／ＣＳデジタル放送受信用のアンテナ２４３で受信した衛星デジタル放送信号は、入力端子２４４を介して衛星デジタル放送用のチューナ２４５に供給されることにより、所望のチャンネルの放送信号が選局される。
【００２４】
そして、このチューナ２４５で選局された放送信号は、ＰＳＫ（Phase Shift Keying）復調器２４５に供給されてＴＳ(Transport Stream)が復調される。このＴＳは、ＴＳ復号器２４７に供給されてデジタルの映像信号、音声信号、データ信号等に復号化された後、信号処理部２４８に出力される。
【００２５】
また、地上波放送受信用のアンテナ２４９で受信した地上デジタルテレビジョン放送信号は、入力端子２５０を介して地上デジタル放送用のチューナ２５１に供給されることにより、所望のチャンネルの放送信号が選局される。
【００２６】
そして、このチューナ２５１で選局された放送信号は、ＯＦＤＭ（Orthogonal Frequency Division Multiplexing）復調器２５２に供給されてＴＳが復調される。このＴＳは、ＴＳ復号器２５３に供給されてデジタルの映像信号、音声信号、データ信号等に復号化された後、上記信号処理部２４８に出力される。
【００２７】
なお、地上波放送受信用のアンテナ２４９で受信した地上アナログテレビジョン放送信号は、入力端子２５０を介して地上アナログ放送用のチューナ（不図示）に供給されることにより、所望のチャンネルの放送信号が選局される。そして、このチューナで選局された放送信号は、アナログ復調器（不図示）に供給されてアナログの映像信号及び音声信号に復調された後、上記信号処理部２４８に出力される。
【００２８】
そして、上記信号処理部２４８は、テレビ視聴時には、ＴＳ復号器２４７およびＴＳ復号器２５３からそれぞれ供給されたデジタルの映像信号及び音声信号に対して、選択的に所定のデジタル信号処理を施し、グラフィック処理部２５４及び音声処理部２５５に出力している。また、制御部２６１に含まれるチャンネル情報検出部２５６には、ＴＳ復号器２４７及びＴＳ復号器２５３からデータが供給される。チャンネル情報検出部２５６では、供給されたデータ信号からＰＳＩ／ＳＩ(Program Specific Information/Service Information)が検出される。
【００２９】
制御部２６１には、信号処理部２４８やＴＳ復号器２４７，２５３から、番組を取得するための各種データや電子番組ガイド（ＥＰＧ）情報，番組属性情報（番組ジャンル等），字幕情報等（サービス情報、ＳＩやＰＳＩ）が入力されている。制御部２６１は、これら入力された情報からＥＰＧ，字幕を表示するため画像生成処理を行い、この生成した画像情報をグラフィック処理部２５４へ出力する。
【００３０】
グラフィック処理部２５４は、信号処理部２４８から供給されるデジタルの映像信号にＯＳＤ（On Screen Display）信号生成部２５７で生成されるＯＳＤ信号を重畳して出力する機能を有する。また、このグラフィック処理部２５４は、信号処理部２４８の出力映像信号と、ＯＳＤ信号生成部２５７の出力ＯＳＤ信号とを選択的に出力することや、両出力をそれぞれ画面の半分を構成するように組み合わせて出力することができる。
【００３１】
そして、グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３２】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３３】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から前記受光部１１８を介して受信した操作情報を受けて、その操作内容が反映されるように各部をそれぞれ制御している。
【００３４】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００３５】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行うことができる。
【００３６】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行うことができる。
【００３７】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００３８】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００３９】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４０】
さらに、上記制御部２６１は、ＩＥＥＥ１３９４  Ｉ／Ｆ２７２を介してＩＥＥＥ１３９４端子１２４に接続されている。これにより、制御部２６１は、ＩＥＥＥ１２４に接続された各機器（図１参照）と、ＩＥＥＥ１３９４  Ｉ／Ｆ２７２を介して情報伝送することができる。
【００４１】
次に、地上デジタル放送用のチューナー２５１の詳細な構成例を説明するとともに自動選局の動作について詳細に説明する。なお、衛星デジタル放送用のチューナ２４５や地上アナログ放送用のチューナの構成例や動作については省略するが、アンテナ２４３または２４９で受信した放送信号から受信可能な放送チャンネルを自動選局するという基本的動作については同様である。
【００４２】
地上デジタル放送用のチューナ２５１は、例えば図３に示すように、ＲＦ(Radio Frequency)増幅回路３００と、混合回路３０１と、局部発振回路３０２と、弾性表面波フィルタ（SAWフィルタ）３０３と、ＩＦ(Intermediate Frequency)増幅回路３０４と、信号レベル検出回路３０５とを含んで構成されている。
【００４３】
アンテナ２４９で受信した地上デジタルテレビジョン放送信号は、入力端子２５０を介してチューナ２５１に供給される。そして、入力端子２４９から供給された地上デジタルテレビジョン放送信号は、信号レベル検出回路３０５で決定される最適なゲイン（ＡＧＣ（Automatic Gain Control）信号）によってＲＦ増幅回路３００で増幅された後、混合回路３０１に供給される。
【００４４】
混合回路３０１では、ＲＦ増幅回路３００から出力された信号が、局部発振回路３０２から出力される局部発振信号と混合されることにより、中間周波数信号に周波数変換される。局部発振信号の周波数は、制御部２６１によって指定される。なお、局部発振回路３０２は、選局のために必要な上記局部発振信号を混合回路３０１に供給するよう制御部２６１によって制御されている。
【００４５】
混合回路３０１から出力された中間周波数信号は、弾性表面波フィルタ３０３（SAWフィルタ）によって、所望のＩＦ帯域の信号のみが選択的に通過し、ＩＦ増幅回路３０４に供給される。そして、ＩＦ増幅回路３０４によって中間周波数信号は最適にレベル調整され、後段のＯＦＤＭ復調器２５２に供給されて、所定の復調処理が成される。
【００４６】
また、混合回路３０１から出力された中間周波数信号は、弾性表面波フィルタ３０３に供給されるとともに、信号レベル検出回路３０５に供給される。
信号レベル検出回路３０５では、中間周波数信号の信号レベルが検出される。そして、信号レベル検出回路３０５から出力されるＡＧＣ（Automatic Gain Control）信号に基づいてＲＦ増幅回路３００の利得の制御が行われる。つまり、混合回路３０１から出力された中間周波数信号のレベルが最適となるようにＲＦ増幅回路３００の利得が微調整される。
【００４７】
また、信号レベル検出回路３０５から出力されるＡＧＣ信号は制御部２６１に供給されている。制御部２６１では、受信可能であって、なお且つ選局対象と成り得る周波数帯域の放送チャンネルの有無を、当該ＡＧＣ信号の直流レベルに基づいて判定している。つまり、制御部２６１は、選局対象と成り得る周波数帯域の放送チャンネルを探索する手段を備えている。このように、中間周波数信号のレベルを信号レベル検出回路３０５で検出し、信号レベル検出回路３０５から出力されるＡＧＣ信号に基づいて放送チャンネルを探索することで、放送チャンネルの探索に要する時間が短縮されるというメリットがある。なお、放送チャンネルの探索は、後述するように、放送信号に含まれるＮＩＴに放送情報が記述されているか否かに基づいて行うことも可能である。
【００４８】
そして、制御部２６１は、選局対象と成り得る周波数帯域の放送チャンネルがあると判定した場合、その放送チャンネルに対する正規の同調周波数を確定するようにＲＦ増幅回路３００や局部発振回路３０２等の各回路を制御する。なお、周波数帯域は、複数の放送チャンネルを送信することが可能な所定幅の帯域を有する。
【００４９】
操作部１１６やリモートコントローラ１１７によって自動選局動作に対応する所定の入力が成された場合、制御部２６１は、ＲＯＭ２６１ａ等の記憶手段に記憶された自動選局プログラムに基づいて自動選局動作を実行する。すなわち、制御部２６１によって局部発振回路３０２から出力される局部発振信号は順次変化してゆき、これにより、受信帯域内で受信周波数が低い方から高い方（あるいは高い方から低い方）に向けて順次変化し、放送チャンネルの検索が行われることになる。
【００５０】
そして、制御部２６１により受信周波数は微調整され、選局対象の放送チャンネルに対する正規の受信周波数が確定し、この確定した受信周波数等の選局動作を行うために必要な情報はＲＯＭ２６１ａ等の記憶手段に記憶される。以上のような一連の処理が受信帯域内で繰り返し行われることによって、自動選局動作が実現される。
【００５１】
次に、本実施形態に係る放送受信装置の自動選局動作について、図４のフローチャートを参照しながら説明する。
まず、受信装置１１１の電源投入後、制御部２６１は、受信可能なある周波数帯域に対して第１の自動選局を行う（ステップＳ４０１）。この第１の自動選局動作では、当該受信装置１１１が配置された受信地域で通常受信する放送チャンネル、例えばＵＨＦ及びＶＨＦの全チャンネルをチューナ２５１が順次選局して、チャンネル情報検出部２５６から得られたＰＳＩ／ＳＩの認識を試行し、この結果認識できたＰＳＩ／ＳＩを解析して、これに含まれる各種情報を抽出する。
【００５２】
具体的には例えば、制御部２６１は、まずチューナ２５１に対してＵＨＦのある一つのチャンネルの選局指示を行なう。するとチューナ２５１は、当該チャンネルの選局を行なう。チューナ２５１が選局を行なうと、制御部２６１は、チャンネル情報検出部２５１で検出されたＰＳＩ／ＳＩに含まれるＮＩＴ(Network Information Table)の抽出を試みる。
【００５３】
そして、制御部２６１により受信周波数は微調整され、選局対象の放送チャンネルに対する正規の受信周波数を確定し、確定した受信周波数の情報や放送局名やリモコンキーＩＤ等の放送チャンネルに関する各種情報が、ＲＯＭ２６１ａ等の記憶部内の割当テーブルに記憶される。なお、一つの放送チャンネルには、放送信号の予め定められた放送用周波数帯域の中のある一定帯域が用いられている。また、ＰＳＩ／ＳＩは上記のとおりＮＩＴ（Network Information Table）を含み、このＮＩＴには、放送チャンネルの周波数、地域識別番号、リモコンキーＩＤ（remote control key id）およびネットワークＩＤ（network id）などの放送情報が記述されている。地域識別番号は、ＰＳＩ／ＳＩの送信元の放送局の地域識別情報である。また、ここでいうリモコンキーＩＤは、操作部１１６やリモートコントローラ１１７にある選局ボタンの操作により入力される選局割当番号に対応する情報である。ネットワークＩＤは、送信元の放送局の種別を示す情報である。
【００５４】
制御部２６１は、実行中の放送チャンネルの選局動作が終了するか、あるいは電波の受信状態が悪いなどの理由で選局後の一定時間経過後もＰＳＩ／ＳＩ中の各種情報を抽出できない場合等には、現在選局している放送チャンネルの番号の次の番号の放送チャンネルの選局指示を行なう。以下、同様の処理をＵＨＦ帯の全チャンネルに対して繰り返し行う。また、ＶＨＦ帯についても同様に選局動作を行う。
【００５５】
ステップＳ４０１にてＵＨＦ帯及びＶＨＦ帯の全放送チャンネルの選局が終了した後、制御部２６１は、信号レベル検出回路３０５から出力されたＡＧＣ信号の出力レベルに基づいて、ＵＨＦ及びＶＨＦ以外の周波数帯域の放送チャンネルが受信可能か否かを探索する（ステップＳ４０２）。そして、ＵＨＦ帯及びＶＨＦ帯以外の周波数帯域（この例では既述したＳバンドとする）の放送チャンネルが選局可能であると検出された場合には、当該周波数帯域の放送チャンネルを自動選局するか否かを問い合わせるＧＵＩ画面を、映像表示器１１４の画面上に例えば図５に示すように表示する（ステップＳ４０３）。このように、信号レベル検出回路３０５から出力されるＡＧＣ信号に基づいて放送チャンネルを探索することで、微調整が必要な通常の選局と比較して高速に信号の有無を検出することが可能となり、自動選局に要するトータルの時間が短縮されるというメリットがある。
【００５６】
これに対してユーザーは、例えば映像表示器１１４に現されたカーソルをリモートコントローラ１１７の操作ボタンで操作することで、上記問いかけに対していずれかの動作を選択することができる。
【００５７】
図５に示す画面表示に対してユーザが操作部１１６やリモートコントローラ１１７を操作し、“はい（Ｙ）”を選択した場合には、Ｓバンドの放送チャンネルについて上記と同様の選局動作（第２の自動選局）が実行され、Ｓバンドに含まれる受信可能な放送チャンネルが選局される（ステップＳ４０４）。
【００５８】
ステップＳ４０４による第２の自動選局後、Ｓバンドの他に選局可能な周波数帯域が放送信号に含まれていない限り選局動作は終了する。
一方、図５に示す画面表示に対してユーザが操作部１１６やリモートコントローラ１１７を操作し、“いいえ（Ｎ）”を選択した場合には、当然ながらＳバンドの放送チャンネルについて選局動作は実行されず、上記と同様更なる選局可能な周波数帯域が放送信号に含まれていない限り、選局動作は終了する。上記した例では２つの周波数帯域について説明したが、更に他に選局可能な周波数帯域があった場合には、第２の自動選局動作後にステップＳ４０２乃至ステップＳ４０４を繰り返し実行することで、更なる選局動作（第３以降の自動選局）を行うことも可能である。
【００５９】
以上の選局動作が完了した後、視聴者は、操作部１１６やリモートコントローラ１１７の選局ボタンを操作するだけで所望の放送チャンネルを視聴できる。
以上説明したように、本実施形態によれば、放送信号に複数の放送チャンネルを送信可能な周波数帯域が複数含まれている場合に、選局する周波数帯域と、選局しない周波数帯域をユーザー自身の判断で選択することが可能となる。
【００６０】
（変形例）
また、以下に説明するように自動選局動作を行うことも出来る。上記ステップＳ４０２では、ＵＨＦ帯及びＶＨＦ帯の全放送チャンネルの選局が終了した後、信号レベル検出回路３０５から出力されたＡＧＣ信号の出力レベルに基づいて、ＵＨＦ及びＶＨＦ以外の周波数帯域の放送チャンネルが受信可能か否かを制御部２６１が探索していた（ステップＳ４０２）。これに対して、上記ＡＧＣ信号の出力レベルに基づいてではなく、チャンネル情報検出部２５６から得られたＰＳＩ／ＳＩに基づいてＵＨＦ及びＶＨＦ以外の周波数帯域の放送チャンネルが受信可能か否かを探索してもよい（ステップＳ４０２´）。具体的には例えば、チャンネル情報検出部２５６から得られたＰＳＩ／ＳＩの認識を試行し、認識できたＰＳＩ／ＳＩを解析して、これに含まれる各種情報を抽出する。そして、ＮＩＴに放送チャンネルの周波数、地域識別番号などの放送情報が記述されていた場合にのみ、当該周波数帯域を自動選局するか否かを、映像表示器１１４の画面上に図５に示すように表示してもよい（ステップＳ４０３）。
【００６１】
また、上記２つの自動選局動作では、信号レベル検出回路３０５から出力されたＡＧＣ信号の出力レベルあるいはＮＩＴの情報に基づいて、他の周波数帯域の放送チャンネルが受信可能か否かを探索していた。しかし、当該ＡＧＣ信号の出力レベル及びＮＩＴの情報の両者に基づいて他の周波数帯域の放送チャンネルが受信可能か否かを探索することも可能である。これにより、自動選局に要する時間が上記２つの方法に比べて若干増えることになるが、他の周波数帯域の放送チャンネルが受信可能か否かの探索精度を向上させることができる。
【００６２】
なお、上記実施形態では、Ｓバンドの放送チャンネルを選局するか否かを選択できる構成となっているが、ＵＨＦ及びＶＨＦについても同様に選局するか否かを選択する構成にすることも可能である。つまり、受信する周波数帯域を当初から決定しておくのではなく、受信可能な周波数帯域の放送チャンネルが検出される毎に、図５に示したようにその周波数帯域を自動選局するか否かを映像表示器１１４の画面に表示し、選局する周波数帯域をユーザーが任意に選択できるように構成することも可能である。従って、受信可能な周波数帯域の放送チャンネルが初めて検出された際、つまり図５で示した第１の自動選局（Ｓ４０１）を行う前に、当該周波数帯域に関して選局するか否かをユーザーが選択できるように構成することも可能である。
【００６３】
なお、上記実施形態では、受信する放送チャンネルの周波数帯域がＵＨＦ（３００ＭＨｚ〜８６０ＭＨｚ）・ＶＨＦ（３０ＭＨｚ〜３００ＭＨｚ）・Ｓバンド（１０４ＭＨｚ〜４７０ＭＨｚ）の３つに分類されているが、例えばＶＨＦ−Ｌ（Low），ＶＨＦ−H(High)，ＵＨＦ−Ｌ，ＵＨＦ−Ｈのように更に細かく周波数帯域を分類した上で、選局動作を行う周波数帯域と、選局動作を行わない周波数帯域とを分けてもよい。
【００６４】
以上説明したように、本実施形態は、放送信号に複数の周波数帯域の放送チャンネルが含まれるか否かを探索でき、放送信号に複数の周波数帯域の放送チャンネルが含まれている場合に、選局動作を行う周波数帯域と選局動作を行わない周波数帯域をユーザーが任意に選択できる構成になっている。このため、本実施形態によれば、自動選局動作に必要な時間を任意に調節することが可能であり、自動選局に必要な時間を短縮することが可能である。また、ユーザーが不要と考える周波数帯域の放送チャンネルの選局は行わないようにすることができるため、使い勝手が向上する。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６６】
【図１】本実施形態に係るデジタルテレビジョン放送受信装置の外観と、このデジタルテレビジョン放送受信装置を中心として構成されるネットワークシステムを説明するための図である。
【図２】本実施形態に係るデジタルテレビジョン放送受信装置の主要な信号処理系を示す図である。
【図３】本実施形態に係るチューナ回路の構成を示す図である。
【図４】本実施形態に係る受信装置の自動選局動作を示すフローチャート図である。
【図５】本実施形態に係る受信装置の自動選局動作の一部を示す図である。
【符号の説明】
【００６７】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ＩＥＥＥ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ、２４３…アンテナ、２４４…入力端子、２４５…チューナ、２４６…ＰＳＫ復調器、２４７…ＴＳ復号器、２４８…信号処理部、２４９…アンテナ、２５０…入力端子、２５１…チューナ、２５２…ＯＦＤＭ復調器、２５３…ＴＳ復号器、２５４…グラフィック処理部、２５５…音声処理部、２５６…チャンネル情報検出部、２５７…ＯＳＤ信号生成部、２５８…映像処理部、２５９…出力端子、２６０…出力端子、２６１…制御部、２６１ａ…ＲＯＭ、２６１ｂ…ＲＡＭ、２６１ｃ…不揮発性メモリ、２６５…カードＩ／Ｆ、２６６…カードホルダ、２６７…カードＩ／Ｆ、２６８…カードホルダ、２６９…通信Ｉ／Ｆ、２７０…通信Ｉ／Ｆ、２７１…ＵＳＢＩ／Ｆ、２７２…ＩＥＥＥ１３９４ Ｉ／Ｆ。
【図１】
2009130600.tif 000003
【図２】
2009130600.tif 000004
【図３】
2009130600.tif 000005
【図４】
2009130600.tif 000006
【図５】
2009130600.tif 000007